(57)【特許請求の範囲】
【請求項１】
壁面に水平方向に延在する如く固定され上方への屈曲部を有するハンギングレールと、
奥行方向端部の側面に前記ハンギングレールの前記上方への屈曲部と係合する切り欠き部を有する受け金具が固定され、前記ハンギングレールと前記受け金具の係合によって前記壁面に吊下固定される側板及び該側板の間に配設される方立と、
前記側板間上部に配設される天板と、
前記側板と前記方立によって区画されたそれぞれの空間の最下段に、収納しようとする物品に応じて収納スペースを確保するために土間から離隔して所望高さに配設される底板と、
前記側板間に配置される棚と、
前記側板間前面に設けられる扉とからなり、
前記収納スペースに収納した前記物品も前記扉によって外部空間と遮蔽することができることを特徴とする玄関収納家具。
【発明の詳細な説明】
【０００１】
【発明の属する技術分野】
本発明は、玄関の土間と連関させてその下部空間を有効に活用できる玄関収納家具に関する。
【０００２】
【従来の技術】
従来、たとえば特開昭５９−１２０１１５号公報に開示されているように、地板（台輪）上に側板および背板が固定され、その上に天板が配設されさらに棚が複数段配設され、扉が前面に開閉自在に設けられるという構造であった。
【０００３】
処で、玄関における収納家具の場合、台輪が玄関から土間に亘って配置されることが多い。従って、台輪の一端は玄関で支持され、他端は台輪の脚を介して土間に支持される構造となる。
【０００４】
かかる台輪支持構造でシューズボックスといった収納家具を構成すると、台輪と土間の間はデッドスペースとなり、空間の有効活用という観点からは必ずしも満足すべきものではなかった。
【０００５】
一方、たとえば多雪地帯にあっては、濡れた長靴や雪かき道具、スキー板或は灯油缶等を玄関に収納する場合がある。かかるニーズに対しては、従来の収納家具構造では有効に対応できなかった。
【０００６】
【発明が解決しようとする課題】
本発明は、上述のような要請にも十分に応えることができ、土間・玄関のスペースを有効に活用できる収納家具を提供することを目的とする。
【０００７】
【課題を解決するための手段】
本発明における課題は、壁面に水平方向に延在する如く固定され上方への屈曲部を有するハンギングレールと、奥行方向端部の側面に前記ハンギングレールの前記上方への屈曲部と係合する切り欠き部を有する受け金具が固定され、前記ハンギングレールと前記受け金具の係合によって前記壁面に吊下固定される側板及び該側板の間に配設される方立と、前記側板間上部に配設される天板と、前記側板と前記方立によって区画されたそれぞれの空間の最下段に、収納しようとする物品に応じて収納スペースを確保するために土間から離隔して所望高さに配設される底板と、前記側板間に配置される棚と、前記側板間前面に設けられる扉とからなり、前記収納スペースに収納した前記物品も前記扉によって外部空間と遮蔽することができることを特徴とする玄関収納家具によってよりよく解決される。
【０００８】
【発明の実施の形態】
以下に、本発明を、添付図面を参照しながら、その好ましい一実施形態に基づいて詳細に説明する。
【０００９】
図１乃至図５に、本発明の玄関収納家具の構造および各要素の取付けの模様を示す。図１は、本発明の玄関収納家具の一実施例を、扉を取り除いてその内部を見たときの正面図である。
【００１０】
図１において、３は側板であり、方立６とともに、図３（ａ）、（ｂ）に示すように、受け金具２がその奥行方向端部に固設され、壁面に固設されているハンギングレール１に前記受け金具２が係合されて壁面に吊下される。
【００１１】
４は天板、５は固定棚であって、底部に設けられるものは底板として機能する。７は移動棚であって、側板３或は方立６に穿設されている孔に嵌入固定される棚受ダボによって支承され、所望の高さ方向位置に配設することができる。
【００１２】
図２（ａ）、（ｂ）に、本発明の玄関収納家具における扉の取付け状態を示す。図２（ｂ）は、図２（ａ）におけるＡ−Ａ矢視図である。図２（ａ）、（ｂ）において、９は蝶番、１１は扉である。１３はハンドルであって、扉１１を開閉するときの把手である。
【００１３】
図３（ａ）、（ｂ）に、側板３或は方立６を壁面１４に固定するときの模様を示す。図３（ａ）、（ｂ）に示すように、壁面１４に、上方への屈曲部１−１を有するハンギングレール１をレール固定用ビス１２によってハンギングレール１が水平方向に延在する如く固定する。ハンギングレール１は、壁面の鉛直方向において、複数段設けることができる。
【００１４】
一方、側板３或は方立６に、受け金具２が、図示しないビス等によって、収納家具における内面となる側かつ奥行方向端部に固定される。受け金具２は、側板３或は方立６の鉛直方向において、ハンギングレール１に対応した数だけ設けられまた、受け金具２には、ハンギングレール１における上方屈曲部１−１に係合する、下方へ向かう切り欠き部２−１が設けられている。
【００１５】
而して、側板３或は方立６における受け金具２をハンギングレール１に係合させれば、側板３或は方立６は壁面１４に吊下固定される。
【００１６】
一方、天板４は、ハンギングレール１と受け金具２の係合によって吊下固定されている一端の側板３に差込み、次いで、この実施例では方立６を天板４に当設させ、接着剤或は締結金具によって固着する。
【００１７】
同様にして、鉛直方向中間に位置する固定棚５を、側板３と方立６間に固定していく。側板３と方立６によって区画されたそれぞれの空間の最下段に固定される固定棚５は、玄関の土間と連関させてそこに収納しようとする物品に応じてその高さ位置を自由に選択することができる。
【００１８】
図１に示す本発明の一実施例においては、図１で見て左側に濡れた長靴を収納できる高さ位置に固定棚（底板）５が固定されている。
【００１９】
この実施例において、中央部にはスキー板、ショベル等を収納できるように、高さ方向に十分な空間をもつ位置に固定棚（底板）５が固定されている。また、右側には灯油缶等を収納できる高さ位置に固定棚（底板）５が固定されている。
【００２０】
固定棚５を固定するには、図４に示すように、側板３および方立６に穿設されている孔にシャフト１５を捻じ込み固定し、このシャフト１５に締結金具１６をねじの締結によって締め付け固定する。このようにして、固定棚（底板）５を所望の高さ位置に固定することができる。
【００２１】
次に、移動棚７は、側板３および方立６に穿設されている孔に棚受けダボを嵌入固定した後、移動棚７を収納家具奥行方向に差し込むことによって形成される。
【００２２】
扉１１は、図５に示すように、側板３に固設される座金１７に、扉１１に固定されている蝶番９を差し込むことによって側板３に開閉自在に固定される。
【００２３】
【発明の効果】
本発明は以上述べたように構成したから、土間と連関させた納まりのよい収納スペースを確保できる。土間との接点部位（空間）には直接、汚れ物や濡れた物を収納することができ、扉によって外部空間と遮蔽される。
【００２４】
また、本発明の収納家具は、壁面にハンギングレールを固設しこのハンギングレールに側板や方立を係合吊下する方式であるから、取付け施工が簡単である。
【００２５】
さらに、台輪や背板を必要としないからコストを低減できる。また、多雪地帯、寒冷地域、一般地域の何れにも１つのモデルで対応できる汎用性がある。
【図面の簡単な説明】
【図１】は、本発明の玄関収納家具の一実施例を、扉を除いて見たときの正面図である。
【図２】（ａ）は、本発明の玄関収納家具の一実施例における扉の取付け状態を示す正面図である。（ｂ）は、図２（ａ）におけるＡ−Ａ矢視図である。
【図３】（ａ）は、壁面にハンギングレールを取付けるときの模様を示す側面図である。（ｂ）は、ハンギングレールに受け金具を係合させるときの模様を示す斜視図である。
【図４】は、固定棚を側板間或は側板・方立間に固設するときの取付け状態を示す斜視図である。
【図５】は、側板に扉を蝶番結合するときの模様を示す斜視図である。
【符号の説明】
１  ハンギングレール
１−１  上方への屈曲部
２  受け金具
２−１  切り欠き部
３  側板
４  天板
５  固定棚
６  方立
７  移動棚
９  蝶番
１１  扉
１２  レール固定用ビス
１３  ハンドル
１４  壁面
１５  シャフト
１６  締結金具
１７  座金
【図１】
0003925674.tif 000002
【図２】
0003925674.tif 000003
【図３】
0003925674.tif 000004
【図４】
0003925674.tif 000005
【図５】
0003925674.tif 000006